(57)【要約】  チャネル検出指示方法、端末及びネットワーク機器を提供する。該方法において、第１物理下り制御チャネルＰＤＣＣＨを検出することと、第１ＰＤＣＣＨで非スケジューリング下り制御情報ＤＣＩが受信されると、第２ＰＤＣＣＨを検出するか否かを非スケジューリングＤＣＩに基づいて決定することとを含む。
2021523655.tif 000002
【特許請求の範囲】
【請求項１】
端末側に応用されるチャネル検出指示方法であって、
第１物理下り制御チャネルＰＤＣＣＨを検出することと、
第１ＰＤＣＣＨで非スケジューリング下り制御情報ＤＣＩが受信されると、第２ＰＤＣＣＨを検出するか否かを前記非スケジューリング下り制御情報ＤＣＩに基づいて決定することとを含む、チャネル検出指示方法。
【請求項２】
第１物理下り制御チャネルＰＤＣＣＨを検出することの後には、
前記第１ＰＤＣＣＨで前記非スケジューリング下り制御情報ＤＣＩが受信されていない場合、受信された目標シグナリングに基づいて、前記第２ＰＤＣＣＨを検出することを更に含み、
ここで、前記目標シグナリングは、前記非スケジューリング下り制御情報ＤＣＩと異なり、前記第２ＰＤＣＣＨに関する検出パラメータを指示する、請求項１に記載のチャネル検出指示方法。
【請求項３】
前記非スケジューリング下り制御情報ＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる、請求項１に記載のチャネル検出指示方法。
【請求項４】
第１物理下り制御チャネルＰＤＣＣＨを検出することの後には、
前記第１ＰＤＣＣＨで前記非スケジューリング下り制御情報ＤＣＩが受信された場合、応答ＡＣＫ情報をフィードバックすること、又は、前記第１ＰＤＣＣＨで前記非スケジューリング下り制御情報ＤＣＩが受信されていない場合、非応答ＮＡＣＫ情報をフィードバックすることを更に含む、請求項１に記載のチャネル検出指示方法。
【請求項５】
第２ＰＤＣＣＨを検出するか否かを前記非スケジューリング下り制御情報ＤＣＩに基づいて決定することの開始時間は、
前記非スケジューリング下り制御情報ＤＣＩがあるｓｌｏｔの次のｓｌｏｔ、
前記非スケジューリング下り制御情報ＤＣＩがあるｓｌｏｔの後に、予め定義されて又はネットワーク機器によって設定される時間間隔ｇａｐを空けたｓｌｏｔ、
ＡＣＫ情報があるｓｌｏｔの後のＭ（Ｍは、正の整数）番目のｓｌｏｔのうちの１つである、請求項４に記載のチャネル検出指示方法。
【請求項６】
前記非スケジューリング下り制御情報ＤＣＩは、第１指示フィールドを含み、
前記第１指示フィールドは、前記端末又は前記端末が属する端末グループに対して、
第１伝送時間内に前記第２ＰＤＣＣＨを検出しないこと、
第２伝送時間内に前記第２ＰＤＣＣＨを検出するか否か、
前記第２ＰＤＣＣＨに関する検出パラメータ、
接続状態非連続受信ＣＤＲＸパラメータ、
前記非スケジューリング下り制御情報ＤＣＩと異なる目標シグナリングであって、前記第２ＰＤＣＣＨに関する検出パラメータを指示するための、受信された目標シグナリングに基づいて、前記第２ＰＤＣＣＨを検出すること、のうちの少なくとも１つを指示する、請求項１〜５のいずれか１項に記載のチャネル検出指示方法。
【請求項７】
前記非スケジューリング下り制御情報ＤＣＩは、専用ＤＣＩフォーマットを採用し、
又は、前記非スケジューリング下り制御情報ＤＣＩは、所定のスケジューリングＤＣＩフォーマット又は所定の非スケジューリングＤＣＩフォーマットのうちの１つを採用する、請求項６に記載のチャネル検出指示方法。
【請求項８】
前記非スケジューリング下り制御情報ＤＣＩが所定のスケジューリングＤＣＩフォーマットのうちの１つを採用する場合、
前記第１指示フィールドは、
前記所定のスケジューリングＤＣＩフォーマットにおけるハイブリッド自動再送要求プロセス値フィールド、冗長バージョンフィールド、変調符号化スキームフィールド、及びリソースブロック割り当てフィールドのうちの少なくとも１つを含む、請求項７に記載のチャネル検出指示方法。
【請求項９】
前記ＣＤＲＸパラメータは、ＣＤＲＸの周期、ＣＤＲＸのオフセット値、及びＣＤＲＸのアクティブ期間のうちの少なくとも１つを含む、請求項６に記載のチャネル検出指示方法。
【請求項１０】
前記第１指示フィールドは、前記第２ＰＤＣＣＨに関する検出パラメータが検出パラメータ候補セットのうちの１つであることを指示し、
前記検出パラメータ候補セットが無線リソース制御ＲＲＣシグナリングによりネットワーク機器から指示される、請求項６に記載のチャネル検出指示方法。
【請求項１１】
前記第１指示フィールドは、前記ＣＤＲＸパラメータがＣＤＲＸパラメータ候補セットのうちの１つであることを指示し、
前記ＣＤＲＸパラメータ候補セットが無線リソース制御ＲＲＣシグナリングによりネットワーク機器から指示される、請求項６に記載のチャネル検出指示方法。
【請求項１２】
前記第１伝送時間又は前記第２伝送時間は、Ｎ（Ｎは、正の整数）個の時間領域伝送ユニット、Ｎ個のＰＤＣＣＨ傍受周期、又はＰＤＣＣＨ傍受周期内のＮ個の傍受時間領域伝送ユニットであり、
ここで、前記時間領域伝送ユニットは、スロットｓｌｏｔ、ミニスロットｍｉｎｉ−ｓｌｏｔ、ミリ秒、又は時間領域シンボルを含む、請求項６に記載のチャネル検出指示方法。
【請求項１３】
第１物理下り制御チャネルＰＤＣＣＨを検出することの前には、
第１伝送時間内に前記第２ＰＤＣＣＨを検出しないことを指示し、又は、第２伝送時間内に前記第２ＰＤＣＣＨを検出するか否かを指示する報告情報をネットワーク機器に送信することを更に含む、請求項６に記載のチャネル検出指示方法。
【請求項１４】
前記第２ＰＤＣＣＨに関する検出パラメータは、検出周期、検出オフセット値、及び検出継続時間のうちの少なくとも１つを含む、請求項６に記載のチャネル検出指示方法。
【請求項１５】
前記第２ＰＤＣＣＨは、少なくとも１つのＤＣＩフォーマットに対応し、及び／又は、少なくとも１つの探索空間に対応する、請求項１に記載のチャネル検出指示方法。
【請求項１６】
前記第１ＰＤＣＣＨの傍受パラメータは、ネットワーク機器により設定され、
前記傍受パラメータは、傍受周期、オフセット値、及び継続時間のうちの少なくとも１つを含む、請求項１に記載のチャネル検出指示方法。
【請求項１７】
前記非スケジューリング下り制御情報ＤＣＩは、上りハイブリッド自動再送要求ＨＡＲＱプロセスの新規データ指示ＮＤＩを指示する第２指示フィールドを更に含む、請求項１に記載のチャネル検出指示方法。
【請求項１８】
第１物理下り制御チャネルＰＤＣＣＨを検出する第１検出モジュールと、
前記第１ＰＤＣＣＨで非スケジューリング下り制御情報ＤＣＩが受信されると、第２ＰＤＣＣＨを検出するか否かを前記非スケジューリング下り制御情報ＤＣＩに基づいて決定する第２検出モジュールとを含む、端末。
【請求項１９】
プロセッサと、メモリと、前記メモリに格納されて前記プロセッサで実行されるコンピュータプログラムとを含む端末であって、
前記コンピュータプログラムが前記プロセッサによって実行されると、請求項１〜１７のいずれか１項に記載のチャネル検出指示方法が実現される、端末。
【請求項２０】
ネットワーク機器側に応用されるチャネル検出指示方法であって、
第２ＰＤＣＣＨを検出するか否かを端末に指示する非スケジューリング下り制御情報ＤＣＩが搬送される第１物理下り制御チャネルＰＤＣＣＨを送信することを含む、チャネル検出指示方法。
【請求項２１】
前記非スケジューリング下り制御情報ＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる、請求項２０に記載のチャネル検出指示方法。
【請求項２２】
第１物理下り制御チャネルＰＤＣＣＨを送信することの後には、
前記第１ＰＤＣＣＨで前記非スケジューリング下り制御情報ＤＣＩが受信されたことを前記端末に指示する応答ＡＣＫ情報を受信すること、又は、前記第１ＰＤＣＣＨで前記非スケジューリング下り制御情報ＤＣＩが受信されていないことを前記端末に指示する非応答ＮＡＣＫ情報を受信することを更に含む、請求項２０に記載のチャネル検出指示方法。
【請求項２３】
第２ＰＤＣＣＨを検出するか否かを前記非スケジューリング下り制御情報ＤＣＩで端末に指示する有効開始時間は、
前記非スケジューリング下り制御情報ＤＣＩがあるｓｌｏｔの次のｓｌｏｔ、
前記非スケジューリング下り制御情報ＤＣＩがあるｓｌｏｔの後に、予め定義されて又はネットワーク機器によって設定される時間間隔ｇａｐを空けたｓｌｏｔ、
ＡＣＫ情報があるｓｌｏｔの後のＭ（Ｍは、正の整数）番目のｓｌｏｔのうちの１つである、請求項２２に記載のチャネル検出指示方法。
【請求項２４】
前記非スケジューリング下り制御情報ＤＣＩは、第１指示フィールドを含み、
前記第１指示フィールドは、前記端末又は前記端末が属する端末グループに対して、
第１伝送時間内に前記第２ＰＤＣＣＨを検出しないこと、
第２伝送時間内に前記第２ＰＤＣＣＨを検出するか否か、
前記第２ＰＤＣＣＨに関する検出パラメータ、
接続状態非連続受信ＣＤＲＸパラメータ、
前記非スケジューリング下り制御情報ＤＣＩと異なる目標シグナリングであって、前記第２ＰＤＣＣＨに関する検出パラメータを指示するための、受信された目標シグナリングに基づいて、前記第２ＰＤＣＣＨを検出すること、のうちの少なくとも１つを指示する、請求項２０〜２３のいずれか１項に記載のチャネル検出指示方法。
【請求項２５】
前記非スケジューリング下り制御情報ＤＣＩは、専用ＤＣＩフォーマットを採用し、
又は、前記非スケジューリング下り制御情報ＤＣＩは、所定のスケジューリングＤＣＩフォーマット又は所定の非スケジューリングＤＣＩフォーマットのうちの１つを採用する、請求項２４に記載のチャネル検出指示方法。
【請求項２６】
前記非スケジューリング下り制御情報ＤＣＩが所定のスケジューリングＤＣＩフォーマットのうちの１つを採用する場合、
前記第１指示フィールドは、
前記所定のスケジューリングＤＣＩフォーマットにおけるハイブリッド自動再送要求プロセス値フィールド、冗長バージョンフィールド、変調符号化スキームフィールド、及びリソースブロック割り当てフィールドのうちの少なくとも１つを含む、請求項２５に記載のチャネル検出指示方法。
【請求項２７】
前記ＣＤＲＸパラメータは、ＣＤＲＸの周期、ＣＤＲＸのオフセット値、及びＣＤＲＸのアクティブ期間のうちの少なくとも１つを含む、請求項２４に記載のチャネル検出指示方法。
【請求項２８】
ネットワーク機器は、前記第２ＰＤＣＣＨに関する検出パラメータを少なくとも１つ含む検出パラメータ候補セットを、無線リソース制御ＲＲＣシグナリングにより指示し、
前記第１指示フィールドは、前記検出パラメータ候補セットのうちの１つを指示する、請求項２４に記載のチャネル検出指示方法。
【請求項２９】
ネットワーク機器は、ＣＤＲＸパラメータを少なくとも１つ含むＣＤＲＸパラメータ候補セットを、無線リソース制御ＲＲＣシグナリングにより指示し、
前記第１指示フィールドは、前記ＣＤＲＸパラメータ候補セットのうちの１つを指示する、請求項２４に記載のチャネル検出指示方法。
【請求項３０】
前記第１伝送時間又は前記第２伝送時間は、Ｎ（Ｎは、正の整数）個の時間領域伝送ユニット、Ｎ個のＰＤＣＣＨ傍受周期、又はＰＤＣＣＨ傍受周期内のＮ個の傍受時間領域伝送ユニットであり、
ここで、前記時間領域伝送ユニットは、スロットｓｌｏｔ、ミニスロットｍｉｎｉ−ｓｌｏｔ、ミリ秒、又は時間領域シンボルを含む、請求項２４に記載のチャネル検出指示方法。
【請求項３１】
第１物理下り制御チャネルＰＤＣＣＨを送信することの前には、
第１伝送時間内に前記第２ＰＤＣＣＨを検出しないことを指示し、又は、第２伝送時間内に前記第２ＰＤＣＣＨを検出するか否かを指示する報告情報を受信することを更に含む、請求項２４に記載のチャネル検出指示方法。
【請求項３２】
前記第２ＰＤＣＣＨに関する検出パラメータは、検出周期、検出オフセット値、及び検出継続時間のうちの少なくとも１つを含む、請求項２４に記載のチャネル検出指示方法。
【請求項３３】
前記第２ＰＤＣＣＨは、少なくとも１つのＤＣＩフォーマットに対応し、及び／又は、少なくとも１つの探索空間に対応する、請求項２０に記載のチャネル検出指示方法。
【請求項３４】
第１物理下り制御チャネルＰＤＣＣＨを送信することの前には、
前記第１ＰＤＣＣＨの傍受パラメータを設定することを更に含み、
前記傍受パラメータは、傍受周期、オフセット値、及び継続時間のうちの少なくとも１つを含む、請求項２０に記載のチャネル検出指示方法。
【請求項３５】
前記非スケジューリング下り制御情報ＤＣＩは、上りハイブリッド自動再送要求ＨＡＲＱプロセスの新規データ指示ＮＤＩを指示する第２指示フィールドを更に含む、請求項２０に記載のチャネル検出指示方法。
【請求項３６】
第２ＰＤＣＣＨを検出するか否かを端末に指示する非スケジューリング下り制御情報ＤＣＩが搬送される第１物理下り制御チャネルＰＤＣＣＨを送信する第１送信モジュールを含む、ネットワーク機器。
【請求項３７】
プロセッサと、メモリと、前記メモリに格納されて前記プロセッサで実行されるコンピュータプログラムとを含むネットワーク機器であって、
前記プロセッサが前記コンピュータプログラムを実行すると、請求項２０〜３５のいずれか１項に記載のチャネル検出指示方法が実現される、ネットワーク機器。
【請求項３８】
コンピュータプログラムが格納されているコンピュータ読み取り可能な記憶媒体であって、
前記コンピュータプログラムがプロセッサによって実行されると、請求項１〜１７、２０〜３５のいずれか１項に記載のチャネル検出指示方法が実現される、コンピュータ読み取り可能な記憶媒体。
【発明の詳細な説明】
【技術分野】
【０００１】
本願は、２０１８年７月１３日に中国特許庁に提出された中国特許出願２０１８１０７７６８０１．５の優先権を主張し、その全ての内容が援用によりここに取り込まれる。
本開示は、通信技術分野に係り、特にチャネル検出指示方法、端末及びネットワーク機器に係る。
【背景技術】
【０００２】
移動通信システムにおいて、物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）の傍受周期、オフセット（ｏｆｆｓｅｔ）及び継続時間（ｄｕｒａｔｉｏｎ）は、ネットワーク機器から無線リソース制御ＲＲＣ（Ｒａｄｉｏ  Ｒｅｓｏｕｒｃｅ  Ｃｏｎｔｒｏｌ）シグナリングにより端末に通知される。しかし、ネットワーク機器により設定されたＰＤＣＣＨ検出周期は、合理的でない場合がある。例えば、トラフィックパケット到着周期が２０ｍｓであるが、ネットワーク機器により設定されたＰＤＣＣＨ検出周期が２ｍｓである場合、端末が頻繁にＰＤＣＣＨをブラインド検出することを引き起こすが、グラント情報（アップリンクグラント及びダウンリンクグラントを含む）は、検出されない。このように、端末が非合理的な設定に基づいてＰＤＣＣＨのブラインド検出を行うことになり、端末の省電力化に不利である。
【発明の概要】
【発明が解決しようとする課題】
【０００３】
本開示の実施例は、端末がＰＤＣＣＨを非合理的に検出することによる電力消費問題を解決するために、チャネル検出指示方法、端末及びネットワーク機器を提供する。
【課題を解決するための手段】
【０００４】
第１態様として、本開示の実施例は、チャネル検出指示方法を提供し、
端末側に応用されるチャネル検出指示方法は、
第１物理下り制御チャネルＰＤＣＣＨを検出することと、
前記第１ＰＤＣＣＨで非スケジューリング下り制御情報ＤＣＩが受信されると、第２ＰＤＣＣＨを検出するか否かを前記非スケジューリングＤＣＩに基づいて決定することとを含む。
【０００５】
第２態様として、本開示の実施例は、端末を提供し、
端末は、
第１物理下り制御チャネルＰＤＣＣＨを検出する第１検出モジュールと、
前記第１ＰＤＣＣＨで非スケジューリング下り制御情報ＤＣＩが受信されると、第２ＰＤＣＣＨを検出するか否かを前記非スケジューリングＤＣＩに基づいて決定する第２検出モジュールとを含む。
【０００６】
第３態様として、本開示の実施例は、端末を提供し、
プロセッサと、メモリと、前記メモリに格納されて前記プロセッサで実行されるコンピュータプログラムとを含む端末は、
前記コンピュータプログラムが前記プロセッサによって実行されると、上記のチャネル検出指示方法が実現される。
【０００７】
第４態様として、本開示の実施例は、チャネル検出指示方法を提供し、
ネットワーク機器側に応用されるチャネル検出指示方法は、
第２ＰＤＣＣＨを検出するか否かを端末に指示する非スケジューリング下り制御情報ＤＣＩが搬送される第１物理下り制御チャネルＰＤＣＣＨを送信することを含む。
【０００８】
第５態様として、本開示の実施例は、ネットワーク機器を提供し、
ネットワーク機器は、
第２ＰＤＣＣＨを検出するか否かを端末に指示する非スケジューリング下り制御情報ＤＣＩが搬送される第１物理下り制御チャネルＰＤＣＣＨを送信する第１送信モジュールを含む。
【０００９】
第６態様として、本開示の実施例は、ネットワーク機器を更に提供し、
プロセッサと、メモリと、前記メモリに格納されて前記プロセッサで実行されるコンピュータプログラムとを含むネットワーク機器は、
前記プロセッサが前記コンピュータプログラムを実行すると、上記のチャネル検出指示方法が実現される。
【００１０】
第７態様として、本開示の実施例は、記憶媒体を提供し、
コンピュータプログラムが格納されているコンピュータ読み取り可能な記憶媒体は、
前記コンピュータプログラムがプロセッサによって実行されると、上記のチャネル検出指示方法が実現される、コンピュータ読み取り可能な記憶媒体。
【発明の効果】
【００１１】
このように、本開示の実施例は、上記技術手段によれば、ＰＤＣＣＨを検出するか否かを非スケジューリングＤＣＩで動的に指示することで、端末がＰＤＣＣＨを検出することがより柔軟になり、不要なＰＤＣＣＨ検出を回避でき、端末の省電力化に有利である。
【００１２】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１３】
【図１】本開示の実施例の応用可能な移動通信システムのブロック図である。
【図２】本開示の実施例に係る端末に応用されるチャネル検出指示方法のフローチャートである。
【図３】本開示の実施例に係る端末のモジュール構造図である。
【図４】本開示の実施例に係る端末のブロック図である。
【図５】本開示の実施例に係るネットワーク機器に応用されるチャネル検出指示方法のフローチャートである。
【図６】本開示の実施例に係るネットワーク機器のモジュール構造図である。
【図７】本開示の実施例に係るネットワーク機器のブロック図である。
【発明を実施するための形態】
【００１４】
以下、添付図面を参照して本開示の例示的な実施例を更に詳細に記載する。本開示の例示的な実施例を図面に示しているが、本開示は、ここで説明した実施例に限定されることなく様々な形態で実現できる。これらの実施例を示すことは、本開示をより徹底的に理解してもらい、本開示の範囲を当業者に全面的に伝えるためである。
【００１５】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本開示の実施例が、例えば、本明細書に図示又は記載されるもの以外の順序でも実施できるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないものや、それらのプロセス、方法、製品又は装置に固有の他の工程又はユニットを含んでもよい。本明細書及び特許請求の範囲において、「及び／又は」は、連結された対象の少なくとも１つを意味する。
【００１６】
本明細書で説明される技術は、ロングタームエボリューションＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、符号分割多元接続ＣＤＭＡ（Ｃｏｄｅ  Ｄｉｖｉｓｉｏｎ  Ｍｕｌｔｉｐｌｅ  Ａｃｃｅｓｓ）、時分割多元接続ＴＤＭＡ（Ｔｉｍｅ  Ｄｉｖｉｓｉｏｎ  Ｍｕｌｔｉｐｌｅ  Ａｃｃｅｓｓ）、周波数分割多元接続ＦＤＭＡ（Ｆｒｅｑｕｅｎｃｙ  Ｄｉｖｉｓｉｏｎ  Ｍｕｌｔｉｐｌｅ  Ａｃｃｅｓｓ）、直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、シングルキャリア周波数分割多元接続ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムにも使用できる。用語「システム」及び「ネットワーク」は、しばしば交換可能に使用される。本明細書で説明される技術は、以上で言及されたシステム及び無線技術に使用されるのみならず、他のシステム及び無線技術にも使用される。しかしながら、以下の説明は、例示の目的でＮＲ（Ｎｅｗ  Ｒａｄｉｏ）システムを説明し、以下の説明の大部分においてＮＲという用語が使用されるが、これらの技術は、ＮＲシステムの適用以外の適用にも適用される。
【００１７】
以下の説明は、特許請求の範囲に記載された範囲、適用可能性又は構成を限定することなく例を提供する。本開示の趣旨及び範囲から逸脱することなく、論じられた要素の機能及び構成を変更することができる。様々な例は、様々な手順又は構成要素を適切に省略、置換又は追加することができる。例えば、説明された方法は、説明されたものとは異なる順序で実行されてもよく、様々なステップが追加、省略、又は組み合わされてもよい。更に、いくつかの例を基準して説明される特徴は、他の例において組み合わされてもよい。
【００１８】
図１を参照する。図１は、本開示の実施例の応用可能な無線通信システムのブロック図を示す。無線通信システムは、端末１１とネットワーク機器１２とを含む。ここで、端末１１は、端末機器又はユーザ端末ＵＥ（Ｕｓｅｒ  Ｅｑｕｉｐｍｅｎｔ）とも呼ばれる。端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク機器ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器である。なお、本開示の実施例において、端末１１の具体的なタイプは、限定されない。ネットワーク機器１２は、基地局又はコアネットワークである。ここで、上記基地局は、５Ｇ以降のバージョンの基地局（例えばｇＮＢ、５Ｇ  ＮＲ  ＮＢなど）、又は他の通信システムにおける基地局（例えばｅＮＢ、ＷＬＡＮ（Ｗｉｒｅｌｅｓｓ  Ｌｏｃａｌ  Ａｒｅａ  Ｎｅｔｗｏｒｋ）アクセスポイント、又は他のアクセスポイントなど）である。ここで、基地局は、ノードＢ、発展型ノードＢ、アクセスポイント、基地トランシーバ局ＢＴＳ（Ｂａｓｅ  Ｔｒａｎｓｃｅｉｖｅｒ  Ｓｔａｔｉｏｎ）、無線基地局、無線トランシーバ、基本サービスセットＢＳＳ（Ｂａｓｉｃ  Ｓｅｒｖｉｃｅ  Ｓｅｔ）、拡張サービスセットＥＳＳ（Ｅｘｔｅｎｄｅｄ  Ｓｅｒｖｉｃｅ  Ｓｅｔ）、Ｂノード、発展型Ｂノード（ｅＮＢ）、ホームＢノード、ホーム発展型ノードＢ、ＷＬＡＮアクセスポイント、ＷｉＦｉ（Ｗｉｒｅｌｅｓｓ  Ｆｉｄｅｌｉｔｙ）ノード、又は所属分野における他の何らかの適切な用語で呼ばれてもよい。同様の技術的効果を奏する限り、前記基地局は、特定の技術用語に限定されない。なお、本開示の実施例において、単にＮＲシステムにおける基地局を例として説明するが、基地局の具体的な種類を限定しない。
【００１９】
基地局は、基地局制御装置の制御下で端末１１と通信し、様々な例では、基地局制御装置がコアネットワーク又はいくつかの基地局の一部である。いくつかの基地局は、バックホールを通じてコアネットワークと制御情報又はユーザデータを通信することができる。いくつかの例では、これらの基地局のいくつかは、有線又は無線通信リンクであるバックホールリンクを通じて、直接的又は間接的に互いに通信する。無線通信システムは、複数のキャリア（異なる周波数の波形信号）での動作をサポートする。マルチキャリア送信機は、変調された信号を複数のキャリアで同時に伝送することができる。例えば、各通信リンクは、様々な無線技術に従って変調されたマルチキャリア信号である。各変調信号は、異なるキャリアで送信され、制御情報（例えば、参照信号、制御チャネルなど）、オーバーヘッド情報、データなどを搬送する。
【００２０】
基地局は、１つ又は複数のアクセスポイントアンテナを介して端末１１と無線通信する。各基地局は、それぞれのカバレッジエリアに通信カバレッジを提供する。アクセスポイントのカバレッジエリアは、該カバレッジエリアの一部のみを構成するセクタに分割される。無線通信システムは、マクロ基地局、マイクロ基地局、又はピコ基地局などの異なるタイプの基地局を含む。基地局はまた、セルラー又はＷＬＡＮ無線アクセス技術などの異なる無線技術を利用する。基地局は、同じ又は異なるアクセスネットワーク又は事業者展開に関連付けられる。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）は、オーバーラップしてもよい。
【００２１】
無線通信システムにおける通信リンクは、アップリンクＵＬ（Ｕｐｌｉｎｋ）伝送（例えば、端末１１からネットワーク機器１２への伝送）を搬送するための上りリンク、又はダウンリンクＤＬ（Ｄｏｗｎｌｉｎｋ）伝送（例えば、ネットワーク機器１２から端末１１への伝送）を搬送するための下りリンクを含む。ＵＬ伝送は、逆方向リンク伝送とも呼ばれ、ＤＬ伝送は、順方向リンク伝送とも呼ばれる。
【００２２】
本開示の実施例は、端末側に応用されるチャネル検出指示方法を提供する。図２に示すように、該方法は、以下のステップを含む。
【００２３】
ステップ２１において、第１物理下り制御チャネルＰＤＣＣＨを検出する。
【００２４】
ここで、第１ＰＤＣＣＨの傍受パラメータは、ネットワーク機器により設定され、傍受パラメータは、傍受周期、オフセット値、及び継続時間のうちの少なくとも１つを含む。
【００２５】
ステップ２２において、第１ＰＤＣＣＨで非スケジューリング下り制御情報ＤＣＩが受信されると、第２ＰＤＣＣＨを検出するか否かを非スケジューリングＤＣＩに基づいて決定する。
【００２６】
上記非スケジューリング（ｎｏｎ−Ｓｃｈｅｄｕｌｉｎｇ）下り制御情報ＤＣＩ（Ｄｏｗｎｌｉｎｋ  Ｃｏｎｔｒｏｌ  Ｉｎｆｏｒｍａｔｉｏｎ）は、第２ＰＤＣＣＨを検出するか否かを端末に指示することができる。このように、非スケジューリングＤＣＩによって端末の検出挙動を動的に指示することで、端末が不要なＰＤＣＣＨ検出を行うことを回避し、端末の消費電力を節約することができる。
【００２７】
ここで、上記第１ＰＤＣＣＨ検出挙動の決定方式は、第２ＰＤＣＣＨ検出挙動の決定方式と同じであっても異なっていてもよく、例えば、第１ＰＤＣＣＨの検出挙動は、直前のＰＤＣＣＨにおける非スケジューリングＤＣＩに基づいて決定され、又は、第１ＰＤＣＣＨの検出挙動は、目標シグナリング（ＲＲＣシグナリングなど）に基づいて決定される。
【００２８】
更に、ステップ２１の後に、該方法は、第１ＰＤＣＣＨで非スケジューリングＤＣＩが受信されていない場合、受信された目標シグナリングに基づいて第２ＰＤＣＣＨを検出するステップを更に含む。ここで、目標シグナリングは、上記非スケジューリングＤＣＩと異なり、第２ＰＤＣＣＨに関する検出パラメータを指示する。ここで、第２ＰＤＣＣＨに関する検出パラメータは、検出周期、検出オフセット値（ｏｆｆｓｅｔ）及び検出継続時間（ｄｕｒａｔｉｏｎ）のうちの少なくとも１つを含む。ここでいう目標シグナリングには、メディアアクセス制御ＭＡＣ（Ｍｅｄｉｕｍ  Ａｃｃｅｓｓ  Ｃｏｎｔｒｏｌ）レイヤ制御エレメントＣＥ（Ｃｏｎｔｒｏｌ  Ｅｌｅｍｅｎｔ）、ＲＲＣシグナリング等が含まれるが、これらに限定されない。ＲＲＣシグナリングを例にとると、端末は、ＲＲＣシグナリングにより設定された探索空間（ｓｅａｒｃｈ  ｓｐａｃｅ）の傍受パラメータに基づいて第２ＰＤＣＣＨを傍受する。
【００２９】
ここで、本開示の実施例における第２ＰＤＣＣＨは、少なくとも１つのＤＣＩフォーマット（ｆｏｒｍａｔ）及び／又は少なくとも１つの探索空間に対応する。ここで、ＤＣＩフォーマットは、下記表１に示すフォーマットを含むが、これに限定されない。
【００３０】
【表１】
2021523655.tif 000003
【００３１】
ここで、ＤＣＩ  ｆｏｒｍａｔ０＿０、０＿１、１＿０、１＿１は、スケジューリングＤＣＩであり、その他は、非スケジューリングＤＣＩである。
【００３２】
更に、システムは、以下の異なるタイプのＰＤＣＣＨ探索空間（Ｓｅａｒｃｈ  ｓｐａｃｅ）をサポートし、それらに限られない。
１．Ｔｙｐｅ０−ＰＤＣＣＨ共通探索空間：該タイプの探索空間は、残りの最小システム情報ＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）に対応するＰＤＣＣＨに対して定義される。該タイプの探索空間で検出されたＰＤＣＣＨに搬送される下り制御情報ＤＣＩ（Ｄｏｗｎｌｉｎｋ  Ｃｏｎｔｒｏｌ  Ｉｎｆｏｒｍａｔｉｏｎ）フォーマット（ｆｏｒｍａｔ）は、プライマリセルＰｃｅｌｌ（Ｐｒｉｍａｒｙ  Ｃｅｌｌ）に対応するシステム情報の無線ネットワーク一時識別子ＳＩ−ＲＮＴＩ（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｔｙ）でスクランブルされた巡回冗長検査ＣＲＣ（Ｃｙｃｌｉｃ  Ｒｅｄｕｎｄａｎｃｙ  Ｃｈｅｃｋ）を搬送する。
２．Ｔｙｐｅ０Ａ−ＰＤＣＣＨ共通探索空間：該タイプの探索空間は、他のシステム情報ＯＳＩ（Ｏｔｈｅｒ  Ｓｙｓｔｅｍ  Ｉｎｆｏｒｍａｔｉｏｎ）に対応するＰＤＣＣＨに対して定義される。該タイプの探索空間で検出されたＰＤＣＣＨに搬送されるＤＣＩ  ｆｏｒｍａｔは、プライマリセルＰｃｅｌｌに対応するＳＩ−ＲＮＴＩでスクランブルされたＣＲＣを搬送する。
３．Ｔｙｐｅ１−ＰＤＣＣＨ共通探索空間：該タイプの探索空間は、通常ＰＤＣＣＨ（又は正常ＰＤＣＣＨと呼ばれる）に対して定義される。該タイプの探索空間で検出されたＰＤＣＣＨに搬送されるＤＣＩ  ｆｏｒｍａｔは、プライマリセルＰｃｅｌｌに対応するランダムアクセスの無線ネットワーク一時識別子ＲＡ−ＲＮＴＩ（Ｒａｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｔｙ）、一時セルの無線ネットワーク一時識別子ＴＣ−ＲＮＴＩ（Ｔｅｍｐｏｒａｒｙ  Ｃｅｌｌ  Ｒａｄｉｏ  Ｎｅｔｗｏｒｋ  Ｔｅｍｐｏｒａｒｙ  Ｉｄｅｎｔｉｔｙ）又はセルの無線ネットワーク一時識別子Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）でスクランブルされたＣＲＣを搬送する。
４．Ｔｙｐｅ２−ＰＤＣＣＨ共通探索空間：該タイプの探索空間で検出されたＰＤＣＣＨに搬送されるＤＣＩ  ｆｏｒｍａｔは、プライマリセルＰｃｅｌｌに対応するページング無線ネットワーク一時識別子Ｐ−ＲＮＴＩ（Ｐａｇｉｎｇ  Ｒａｄｉｏ  Ｎｅｔｗｏｒｋ  Ｔｅｍｐｏｒａｒｙ  Ｉｄｅｎｔｉｔｙ）でスクランブルされたＣＲＣを搬送する。
５．Ｔｙｐｅ３−ＰＤＣＣＨ共通探索空間：該タイプの探索空間で検出されたＰＤＣＣＨに搬送されるＤＣＩ  ｆｏｒｍａｔは、伝送中断無線ネットワーク一時識別子ＩＮＴ−ＲＮＴＩ（Ｉｎｔｅｒｒｕｐｔ  Ｔｒａｎｓｍｉｓｓｉｏｎ  Ｒａｄｉｏ  Ｎｅｔｗｏｒｋ  Ｔｅｍｐｏｒａｒｙ  Ｉｄｅｎｔｉｔｙ）、スロットフォーマットで指示される無線ネットワーク一時識別子ＳＦＩ−ＲＮＴＩ（Ｓｌｏｔ  Ｆｏｒｍａｔ  Ｉｎｄｉｃａｔｉｏｎ  Ｒａｄｉｏ  Ｎｅｔｗｏｒｋ  Ｔｅｍｐｏｒａｒｙ  Ｉｄｅｎｔｉｔｙ）、ＰＵＳＣＨ伝送電力制御ＴＰＣ（Ｔｒａｎｓｍｉｔ  Ｐｏｗｅｒ  Ｃｏｎｔｒｏｌ）の無線ネットワーク一時識別子ＴＰＣ−ＰＵＳＣＨ−ＲＮＴＩ（ＴＰＣ  ｏｆ  ＰＵＳＣＨ  Ｒａｄｉｏ  Ｎｅｔｗｏｒｋ  Ｔｅｍｐｏｒａｒｙ  Ｉｄｅｎｔｉｔｙ）、ＰＵＣＣＨのＴＰＣの無線ネットワーク一時識別子ＴＰＣ−ＰＵＣＣＨ−ＲＮＴＩ（ＴＰＣ  ｏｆ  ＰＵＣＣＨ  Ｒａｄｉｏ  Ｎｅｔｗｏｒｋ  Ｔｅｍｐｏｒａｒｙ  Ｉｄｅｎｔｉｔｙ）、Ｃ−ＲＮＴＩ、設定スケジューリングの無線ネットワーク一時識別子ＣＳ−ＲＮＴＩ（Ｃｏｎｆｉｇｕｒｅ  Ｓｃｈｅｄｕｌｉｎｇ  Ｒａｄｉｏ  Ｎｅｔｗｏｒｋ  Ｔｅｍｐｏｒａｒｙ  Ｉｄｅｎｔｉｔｙ）又は半継続の無線ネットワーク一時識別子ＳＰ−ＲＮＴＩ（Ｓｅｍｉ  ｃｏｎｔｉｎｕｏｕｓ  Ｒａｄｉｏ  Ｎｅｔｗｏｒｋ  Ｔｅｍｐｏｒａｒｙ  Ｉｄｅｎｔｉｔｙ）でスクランブルされたＣＲＣを搬送する。
６．端末専用探索空間（ＵＥ−ｓｐｅｃｉｆｉｃ  ｓｅａｒｃｈ  ｓｐａｃｅ）：該タイプの検索空間で検出されるＰＤＣＣＨに搬送されるＤＣＩ  ｆｏｒｍａｔは、Ｃ−ＲＮＴＩ、ＣＳ−ＲＮＴＩ又はＳＰ−ＲＮＴＩでスクランブルされたＣＲＣを搬送する。
【００３３】
本開示の実施例の第２ＰＤＣＣＨは、上記探索空間の少なくとも１つに対応する。
【００３４】
また、本開示の実施例における非スケジューリングＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる。
【００３５】
ステップ２１の後に、第１ＰＤＣＣＨで非スケジューリングＤＣＩが受信された場合、応答ＡＣＫ情報をフィードバックするステップ、又は、第１ＰＤＣＣＨで非スケジューリングＤＣＩが受信されていない場合、非応答ＮＡＣＫ情報をフィードバックするステップを更に含む。ここで、端末がＡＣＫ情報のみを送信すると定義すれば、端末は、第１ＰＤＣＣＨで非スケジューリングＤＣＩを受信すると、応答ＡＣＫ情報をフィードバックするが、第１ＰＤＣＣＨで非スケジューリングＤＣＩが受信されなければ、何らのフィードバック情報も送信しない。端末がＮＡＣＫ情報のみを送信すると定義すれば、端末は、第１ＰＤＣＣＨで非スケジューリングＤＣＩを受信すると、何らのフィードバック情報も送信しないが、第１ＰＤＣＣＨで非スケジューリングＤＣＩが受信されなければ、ＮＡＣＫ情報をフィードバックする。端末がＡＣＫ情報とＮＡＣＫ情報の両方を送信できると定義すれば、端末は、第１ＰＤＣＣＨで非スケジューリングＤＣＩを受信すると、応答ＡＣＫ情報をフィードバックするが、第１ＰＤＣＣＨで非スケジューリングＤＣＩが受信されなければ、ＮＡＣＫ情報をフィードバックする。
【００３６】
上記ステップ２２の開始時間、即ち、非スケジューリングＤＣＩで端末の傍受挙動を指示する第１指示フィールドの発効時間は、以下のうちの１つである。
非スケジューリングＤＣＩがあるｓｌｏｔの次のｓｌｏｔ：端末が非スケジューリングＤＣＩを受信した後の次のｓｌｏｔである。
非スケジューリングＤＣＩがあるｓｌｏｔの後に時間間隔ｇａｐを空けたｓｌｏｔ：ここで、該ｇａｐは、予め定義されて又はネットワーク機器によって設定される。即ち、非スケジューリングＤＣＩの受信から指示フィールドが有効になるまで１つのｇａｐが存在する。該ｇａｐ内で、端末は、今までの傍受挙動規則に従ってＰＤＣＣＨの検出を行う。即ち、該ｇａｐ内で、端末は、非スケジューリングＤＣＩに従ってＰＤＣＣＨを傍受するのではなく、受信した目標シグナリングに従ってＰＤＣＣＨを検出する。ここで、前記目標シグナリングは、非スケジューリングＤＣＩと異なる。例えば、前記目標シグナリングは、ＲＲＣシグナリングである。
非スケジューリングＤＣＩ情報に対応するＡＣＫ情報があるｓｌｏｔの後のＭ（Ｍは、正の整数）番目のｓｌｏｔ：ここで、Ｍの値は、予め定義されてもよく、ネットワーク機器によって設定されてもよい。
【００３７】
本開示の実施例において、非スケジューリングＤＣＩは、端末（例えば、第１ＰＤＣＣＨが端末専用ＰＤＣＣＨである）又は端末が属する端末グループ（例えば、第１ＰＤＣＣＨがグループ共通Ｇｒｏｕｐ−ｃｏｍｍｏｎ  ＰＤＣＣＨである）の以下の傍受挙動の少なくとも１つを指示する第１指示フィールドを含む。
【００３８】
傍受挙動１：第１伝送時間内に第２ＰＤＣＣＨを検出しない。ここで、第１指示フィールドは、第１伝送時間内に第２ＰＤＣＣＨを検出しないことを端末又は端末グループに指示する指示ビットを含む。ここで、第１伝送時間は、Ｎ（Ｎは、正の整数）個の時間領域伝送ユニット、Ｎ個の第２ＰＤＣＣＨ傍受（ｍｏｎｉｔｏｒｉｎｇ）周期又は第２ＰＤＣＣＨ傍受周期内のＮ個の傍受時間領域伝送ユニットであり、ここで、時間領域伝送ユニットは、スロットｓｌｏｔ、ミニスロットｍｉｎｉ−ｓｌｏｔ、ミリ秒、又は時間領域シンボルを含む。ｓｌｏｔを例にとると、非スケジューリングＤＣＩは、後続するＮ個のｓｌｏｔ、Ｎ個のＰＤＣＣＨ傍受周期、又はＮ個のＰＤＣＣＨ傍受周期内に属する傍受ｓｌｏｔ内で第２ＰＤＣＣＨを検出しないことを指示する第１指示フィールドを含む。また、該第１指示フィールドは、後続するＮ個のｓｌｏｔ、Ｎ個のＰＤＣＣＨ傍受周期、又はＮ個のＰＤＣＣＨ傍受周期内に属する傍受ｓｌｏｔ内でネットワーク機器から第２ＰＤＣＣＨを送信しないことを指示する。それにより、その間に第２ＰＤＣＣＨの検出を行う必要もないことを端末又は端末グループに間接的に指示する。
【００３９】
傍受挙動２：第２伝送時間内に第２ＰＤＣＣＨを検出するか否か。ここで、第１指示フィールドは、第２伝送時間内に第２ＰＤＣＣＨを検出するか否かを指示する指示ビットを含む。例えば、第１指示フィールドの指示ビットは、ビットマップ（ｂｉｔｍａｐ）を形成し、ビットマップの各ビットの位置は、異なる時間領域伝送ユニット、異なる傍受（ｍｏｎｉｔｏｒｉｎｇ）周期又は傍受周期内の異なる傍受時間領域伝送ユニットの位置を示す。例えば、５ビットのｂｉｔｍａｐのうち、１番目のビットは、第２伝送時間内の１番目のｓｌｏｔを示し、２番目のビットは、第２伝送時間内の２番目のｓｌｏｔを示し、このように類推する。該第１指示フィールドは、Ｎ（Ｎは、正の整数）個のｂｉｔから形成されるビットマップを含み、第２伝送時間は、Ｎ個の時間領域伝送ユニット、Ｎ個の第２ＰＤＣＣＨ傍受（ｍｏｎｉｔｏｒｉｎｇ）周期又は第２ＰＤＣＣＨ傍受周期内のＮ個の傍受時間領域伝送ユニットであり、ここで、時間領域伝送ユニットは、スロットｓｌｏｔ、ミニスロットｍｉｎｉ−ｓｌｏｔ、ミリ秒、又は時間領域シンボルを含むとする。ビットマップ中のビットの値が「１」であることは、該ビットに対応する時間領域伝送ユニットで第２ＰＤＣＣＨを検出する必要があることを指示し、「０」であることは、該ビットに対応する時間領域伝送ユニットで第２ＰＤＣＣＨを検出する必要がないことを指示する。又は、その逆である。なお、第１伝送時間に対応するＮの値は、第２伝送時間に対応するＮの値と同じであってもよいし、異なってもよいが、本実施例において、これについて特に限定しない。
【００４０】
傍受挙動３：第２ＰＤＣＣＨに関する検出パラメータ。ここで、第２ＰＤＣＣＨに関する検出パラメータは、検出周期、検出オフセット値、及び検出継続時間のうちの少なくとも１つを含む。例えば、第１指示フィールドは、２ｂｉｔを含み、００は、５ｓｌｏｔの検出周期、０１は、１０ｓｌｏｔの検出周期、１０は、２０ｓｌｏｔの検出周期、１１は、他の用途を示す。
【００４１】
更に、第１指示フィールドは、第２ＰＤＣＣＨに関する検出パラメータが検出パラメータ候補セットのうちの１つであることを指示し、検出パラメータ候補セットが無線リソース制御ＲＲＣシグナリングによりネットワーク機器から指示される。即ち、ネットワーク機器は、第２ＰＤＣＣＨに関する検出パラメータを少なくとも１つ含む検出パラメータ候補セットを無線リソース制御ＲＲＣシグナリングによって指示し、指示フィールドは、検出パラメータ候補セットのうちの１つを指示する。例えば、ネットワーク機器は、ＲＲＣシグナリングによって、検出パラメータ１（例えば、５ｓｌｏｔの検出周期）、検出パラメータ２（例えば、１０ｓｌｏｔの検出周期）及び検出パラメータ３（例えば、１５ｓｌｏｔの検出周期）を任意のものとして設定し、スケジューリングＤＣＩにおける第１指示フィールドは、どの検出パラメータを選択するか、即ち、検出パラメータ１、２及び３のうちの１つを選択することを指示する。
【００４２】
傍受挙動４：接続状態非連続受信ＣＤＲＸ（Ｃｏｎｎｅｃｔｅｄ  Ｄｉｓｃｏｎｔｉｎｕｏｕｓ  Ｒｅｃｅｐｔｉｏｎ）パラメータ。ここで、ＣＤＲＸパラメータは、ＣＤＲＸの周期、ＣＤＲＸのオフセット値、及びＣＤＲＸのアクティブ期間（又は、活性化タイマｏｎｄｕｒａｔｉｏｎ  ｔｉｍｅｒと呼ぶ）のうちの少なくとも１つを含む。
【００４３】
更に、第１指示フィールドは、上記検出パラメータの指示方式と同様に、ＣＤＲＸパラメータがＣＤＲＸパラメータ候補セットのうちの１つであることを指示し、ＣＤＲＸパラメータ候補セットが無線リソース制御ＲＲＣシグナリングによりネットワーク機器から指示される。即ち、ネットワーク機器は、少なくとも１つのＣＤＲＸパラメータを含むＣＤＲＸパラメータ候補セットを、無線リソース制御ＲＲＣシグナリングによって指示し、指示フィールドは、ＣＤＲＸパラメータ候補セットのうちの１つを指示する。例えば、ネットワーク機器は、ＲＲＣシグナリングによって、ＣＤＲＸパラメータ１（例えば、ＤＲＸ周期：１６０ｍｓ）、ＣＤＲＸパラメータ２（例えば、ＤＲＸ周期：３２０ｍｓ）及びＣＤＲＸパラメータ３（例えば、ＤＲＸ周期：１２８０ｍｓ）を設定する。選択可能に、スケジューリングＤＣＩにおける第１指示フィールドは、どのＣＤＲＸパラメータを選択するか、即ち、ＣＤＲＸパラメータ１、２及び３のうちの１つを選択することを指示する。
【００４４】
傍受挙動５：受信された目標シグナリングに基づいて前記第２ＰＤＣＣＨを検出する。ここで、目標シグナリングは、非スケジューリングＤＣＩとは異なり、第２ＰＤＣＣＨに関する検出パラメータを指示する。該目標シグナリングは、上記目標シグナリングと同様に、ＭＡＣレイヤＣＥ、ＲＲＣシグナリングなどを含むが、これらに限定されない。ＲＲＣシグナリングを例にとると、端末は、ＲＲＣシグナリングにより設定された探索空間（ｓｅａｒｃｈ  ｓｐａｃｅ）の傍受パラメータに基づいて第２ＰＤＣＣＨを傍受する。
【００４５】
ここで、本開示の実施例に係る非スケジューリングＤＣＩは、専用ＤＣＩフォーマットを採用することができ、即ち、端末又は端末グループの傍受挙動を指示するために専用の非スケジューリングＤＣＩフォーマットを追加する。ここで、専用ＤＣＩフォーマットのサイズ（Ｓｉｚｅ）は、従来技術における（上記表１のような）ＤＣＩフォーマットと一致してもよいし、一致しなくてもよい。又は、非スケジューリングＤＣＩは、所定のスケジューリングＤＣＩフォーマット又は所定の非スケジューリングＤＣＩフォーマットのうちの１つを採用することができる。ここで、ここでいう所定のスケジューリングＤＣＩフォーマットは、上記の表１に列挙されたＤＣＩ  ｆｏｒｍａｔ＿０、０＿１、１＿０、１＿１であってよく、所定の非スケジューリングＤＣＩフォーマットは、上記の表１における他のＤＣＩフォーマットであってもよい。非スケジューリングＤＣＩが所定のスケジューリングＤＣＩフォーマット又は所定の非スケジューリングＤＣＩフォーマットのうちの１つを採用する場合、非スケジューリングＤＣＩのサイズは、従来技術のＤＣＩフォーマットに一致し、端末によるブラインド検出の複雑性を低減することができる。
【００４６】
非スケジューリングＤＣＩが所定のスケジューリングＤＣＩフォーマットのうちの１つを採用する場合、指示フィールドは、所定のスケジューリングＤＣＩフォーマットにおけるハイブリッド自動再送要求プロセス値（ＨＡＲＱ  ｐｒｏｃｅｓｓ  ｎｕｍｂｅｒ）フィールド、冗長バージョン（Ｒｅｄｕｎｄａｎｃｙ  ｖｅｒｓｉｏｎ）フィールド、変調符号化スキーム（Ｍｏｄｕｌａｔｉｏｎ  ａｎｄ  ｃｏｄｉｎｇ  ｓｃｈｅｍｅ）フィールド及びリソースブロック割り当て（Ｒｅｓｏｕｒｃｅ  ｂｌｏｃｋ  ａｓｓｉｇｎｍｅｎｔ）フィールドのうちの少なくとも１つを含む。
【００４７】
以下、非スケジューリングＤＣＩフォーマットにおける一部のフィールドを再利用することを例として、傍受挙動の指示について例示的に説明するが、個別傍受挙動や他の傍受挙動の組み合わせの指示は、これに類似しており、本実施例では繰り返して述べない。
【００４８】
ＣＲＣをＣ−ＲＮＴＩによってスクランブルすることによって、以下の表２−６に示されるように、ハイブリッド自動再送要求プロセス値フィールド、冗長バージョンフィールド、変調符号化スキームフィールド、及びリソースブロック割り当てフィールドを書き換え、第２ＰＤＣＣＨを傍受するか否かを端末又は端末グループに指示する。
【００４９】
【表２】
2021523655.tif 000004
【００５０】
【表３】
2021523655.tif 000005
【００５１】
【表４】
2021523655.tif 000006
【００５２】
【表５】
2021523655.tif 000007
【００５３】
【表６】
2021523655.tif 000008
【００５４】
上記の書き換え方式は、例示的なものに過ぎず、他の書き換え方式も本開示の実施例に適用可能であり、ここで枚挙しない。
【００５５】
更に、非スケジューリングＤＣＩの第１指示フィールドによって傍受挙動１及び／又は２を指示する場合、ステップ２１の前に、第１伝送時間内に第２ＰＤＣＣＨを検出しないこと、又は第２伝送時間内に第２ＰＤＣＣＨを検出するか否かを指示する報告情報をネットワーク機器に送信するステップを更に含む。即ち、端末は、自身のスケジューリングデマンドに応じてネットワーク機器に報告情報を送信し、スケジューリングデマンドがない場合には、第１伝送時間内に第２ＰＤＣＣＨを検出しないことを指示する報告情報を報告し、又は、トラフィックのスケジューリングデマンドに応じて、第２伝送時間内に第２ＰＤＣＣＨを検出するか否かを指示する報告情報を報告する。ネットワーク機器、端末の後続の傍受挙動を指示するために、該報告情報を参照して非スケジューリングＤＣＩを生成する。
【００５６】
なお、本開示の実施例における非スケジューリングＤＣＩは、上りハイブリッド自動再送要求ＨＡＲＱプロセスの新規データ指示ＮＤＩ（Ｎｅｗ  Ｄａｔａ  Ｉｎｄｉｃａｔｉｏｎ）を指示する第２指示フィールドを含んでもよい。該指示フィールドは、端末又は端末グループにソフトバッファ（ｓｏｆｔ  ｂｕｆｆｅｒ）の解放を指示する。具体的には、アップリンク伝送の場合、ＨＡＲＱプロセスごとに１つのＮＤＩが対応する。
【００５７】
本開示の実施例に係るチャネル検出指示方法において、端末がＰＤＣＣＨを検出するか否かを非スケジューリングＤＣＩにより動的に指示することで、端末がＰＤＣＣＨを検出することがより柔軟になり、不要なＰＤＣＣＨ検出を回避でき、端末の省電力化に有利である。
【００５８】
以上の実施例は、異なるシナリオにおけるチャネル検出指示方法を紹介したが、以下、更に、それに対応する端末について図面に基づいて紹介する。
【００５９】
図３に示すように、本開示の実施例に係る端末３００は、上記実施例における、第１物理下り制御チャネルＰＤＣＣＨを検出し、第１ＰＤＣＣＨで非スケジューリング下り制御情報ＤＣＩが受信されると、第２ＰＤＣＣＨを検出するか否かを非スケジューリングＤＣＩに基づいて決定する方法のディテールを実現し、同じ効果を奏することもできる。
該端末３００は、具体的には、
第１物理下り制御チャネルＰＤＣＣＨを検出する第１検出モジュール３１０と、
第１ＰＤＣＣＨで非スケジューリング下り制御情報ＤＣＩが受信されると、第２ＰＤＣＣＨを検出するか否かを非スケジューリングＤＣＩに基づいて決定する第２検出モジュール３２０とを含む。
【００６０】
ここで、端末３００は、第１ＰＤＣＣＨで非スケジューリングＤＣＩが受信されていない場合、受信された目標シグナリングに基づいて第２ＰＤＣＣＨを検出する第３検出モジュールを更に含む。ここで、目標シグナリングは、非スケジューリングＤＣＩと異なり、第２ＰＤＣＣＨに関する検出パラメータを指示する。
【００６１】
ここで、非スケジューリングＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる。
【００６２】
ここで、端末３００は、第１ＰＤＣＣＨで非スケジューリングＤＣＩが受信された場合、応答ＡＣＫ情報をフィードバックする第１フィードバックモジュール、又は、第１ＰＤＣＣＨで非スケジューリングＤＣＩが受信されていない場合、非応答ＮＡＣＫ情報をフィードバックする第２フィードバックモジュールを更に含む。
【００６３】
ここで、第２ＰＤＣＣＨを検出するか否かを非スケジューリングＤＣＩに基づいて決定するステップの開始時間は、
非スケジューリングＤＣＩがあるｓｌｏｔの次のｓｌｏｔ、
非スケジューリングＤＣＩがあるｓｌｏｔの後に、予め定義されて又はネットワーク機器によって設定される時間間隔ｇａｐを空けたｓｌｏｔ、
ＡＣＫ情報があるｓｌｏｔの後のＭ（Ｍは、正の整数）番目のｓｌｏｔのうちの１つである。
【００６４】
ここで、非スケジューリングＤＣＩは、第１指示フィールドを含み、
第１指示フィールドは、端末又は端末が属する端末グループに対して、
第１伝送時間内に第２ＰＤＣＣＨを検出しないこと、
第２伝送時間内に第２ＰＤＣＣＨを検出するか否か、
第２ＰＤＣＣＨに関する検出パラメータ、
接続状態非連続受信ＣＤＲＸパラメータ、
非スケジューリングＤＣＩと異なる目標シグナリングであって、第２ＰＤＣＣＨに関する検出パラメータを指示するための、受信された目標シグナリングに基づいて、第２ＰＤＣＣＨを検出すること、のうちの少なくとも１つを指示する。
【００６５】
ここで、非スケジューリングＤＣＩは、専用ＤＣＩフォーマットを採用し、又は、非スケジューリングＤＣＩは、所定のスケジューリングＤＣＩフォーマット又は所定の非スケジューリングＤＣＩフォーマットのうちの１つを採用する。
【００６６】
ここで、非スケジューリングＤＣＩが所定のスケジューリングＤＣＩフォーマットのうちの１つを採用する場合、
指示フィールドは、
所定のスケジューリングＤＣＩフォーマットにおけるハイブリッド自動再送要求プロセス値フィールド、冗長バージョンフィールド、変調符号化スキームフィールド、及びリソースブロック割り当てフィールドのうちの少なくとも１つを含む。
【００６７】
ここで、ＣＤＲＸパラメータは、ＣＤＲＸの周期、ＣＤＲＸのオフセット値、及びＣＤＲＸのアクティブ期間のうちの少なくとも１つを含む。
【００６８】
ここで、第１指示フィールドは、第２ＰＤＣＣＨに関する検出パラメータが検出パラメータ候補セットのうちの１つであることを指示し、検出パラメータ候補セットが無線リソース制御ＲＲＣシグナリングによりネットワーク機器から指示される。
【００６９】
ここで、第１指示フィールドは、ＣＤＲＸパラメータがＣＤＲＸパラメータ候補セットのうちの１つであることを指示し、ＣＤＲＸパラメータ候補セットが無線リソース制御ＲＲＣシグナリングによりネットワーク機器から指示される。
【００７０】
ここで、第１伝送時間又は第２伝送時間は、Ｎ（Ｎは、正の整数）個の時間領域伝送ユニット、Ｎ個のＰＤＣＣＨ傍受周期、又はＰＤＣＣＨ傍受周期内のＮ個の傍受時間領域伝送ユニットであり、ここで、時間領域伝送ユニットは、スロットｓｌｏｔ、ミニスロットｍｉｎｉ−ｓｌｏｔ、ミリ秒、又は時間領域シンボルを含む。
【００７１】
ここで、端末３００は、第１伝送時間内に第２ＰＤＣＣＨを検出しないことを指示し、又は、第２伝送時間内に第２ＰＤＣＣＨを検出するか否かを指示する報告情報をネットワーク機器に送信する報告モジュールを更に含む。
【００７２】
ここで、第２ＰＤＣＣＨに関する検出パラメータは、検出周期、検出オフセット値、及び検出継続時間のうちの少なくとも１つを含む。
【００７３】
ここで、第２ＰＤＣＣＨは、少なくとも１つのＤＣＩフォーマットに対応し、及び／又は、少なくとも１つの探索空間に対応する。
【００７４】
ここで、第１ＰＤＣＣＨの傍受パラメータは、ネットワーク機器により設定され、傍受パラメータは、傍受周期、オフセット値、及び継続時間のうちの少なくとも１つを含む。
【００７５】
ここで、非スケジューリングＤＣＩは、上りハイブリッド自動再送要求ＨＡＲＱプロセスの新規データ指示ＮＤＩを指示する第２指示フィールドを更に含む。
【００７６】
なお、本開示の実施例に係る端末は、ＰＤＣＣＨを検出するか否かを非スケジューリングＤＣＩにより動的に指示することで、端末がＰＤＣＣＨを検出することがより柔軟になり、不要なＰＤＣＣＨ検出を回避でき、端末の省電力化に有利である。
【００７７】
上記目的をよりよく実現するために、更に、図４は、本開示の各実施例を実現する端末のハードウェア構造図である。該端末４０は、ラジオ周波数ユニット４１と、ネットワークモジュール４２と、音声出力ユニット４３と、入力ユニット４４と、センサ４５と、表示ユニット４６と、ユーザ入力ユニット４７と、インターフェースユニット４８と、メモリ４９と、プロセッサ４１０と、電源４１１などの構成要素を含むが、これらに限定されない。図４に示される端末の構造は、端末を限定するものではなく、端末は、図示されるよりも多い又は少ない構成要素、又は特定の構成要素を組み合わせ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７８】
ここで、ラジオ周波数ユニット４１は、プロセッサ４１０による制御でデータを送受信し、具体的には、第１物理下り制御チャネルＰＤＣＣＨを検出し、第１ＰＤＣＣＨで非スケジューリング下り制御情報ＤＣＩが受信されると、第２ＰＤＣＣＨを検出するか否かを非スケジューリングＤＣＩに基づいて決定する。
【００７９】
本開示の実施例に係る端末は、ＰＤＣＣＨを検出するか否かを非スケジューリングＤＣＩにより動的に指示することで、端末がＰＤＣＣＨを検出することがより柔軟になり、不要なＰＤＣＣＨ検出を回避でき、端末の省電力化に有利である。
【００８０】
なお、本開示の実施例において、ラジオ周波数ユニット４１は、情報の送受信又は通話中で信号の送受信に用いられ、具体的に、基地局から下りデータを受信した後、プロセッサ４１０による処理に供し、また、上りデータを基地局に送信する。一般に、ラジオ周波数ユニット４１は、アンテナ、少なくとも１つの増幅器、トランシーバ、結合器、低雑音増幅器、デュプレクサなどを含むが、それらに限定されない。また、ラジオ周波数ユニット４１は、無線通信システムを介してネットワークや他の機器と通信を行うこともできる。
【００８１】
端末は、ネットワークモジュール４２を介して、電子メールの送受信、ウェブページの閲覧、ストリーミングメディアへのアクセスを支援するなど、無線ブロードバンドインターネットアクセスをユーザに提供する。
【００８２】
音声出力ユニット４３は、ラジオ周波数ユニット４１やネットワークモジュール４２が受信した音声データや、メモリ４９に記憶された音声データを音声信号に変換して音声として出力することができる。また、音声出力ユニット４３は、端末４０が実行する特定の機能に関する音声（例えば、呼出信号着信音、メッセージ着信音等）を出力してもよい。音声出力ユニット４３は、スピーカ、ブザー及びレシーバなどを含む。
【００８３】
入力ユニット４４は、音声や映像の信号を受信することに用いられる。入力ユニット４４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）４４１と、マイク４４２とを含む。処理された画像フレームは、表示ユニット４６上に表示される。グラフィックスプロセッサ４４１で処理された画像フレームは、メモリ４９（又は他の記憶媒体）に記憶されるか、又はラジオ周波数ユニット４１又はネットワークモジュール４２を介して送信される。マイク４４２は、音声を受信し、音声データに加工することができる。処理された音声データは、電話通話モードの場合、ラジオ周波数ユニット４１を介して移動体通信基地局に送信可能な形式に変換して出力することができる。
【００８４】
端末４０は、光センサ、モーションセンサ及び他のセンサのような少なくとも１つのセンサ４５を更に含む。具体的には、光センサは、周辺光センサ及び近接センサを含む。周辺光センサは、周辺光の明暗に応じて表示パネル４６１の輝度を調節し、近接センサは、端末４０が耳に移動したときに表示パネル４６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ４５は、指紋センサ、圧力センサ、虹彩センサ、分子センサ、ジャイロスコープ、気圧計、湿度計、温度計、赤外線センサなどを更に含むことができるが、ここでは枚挙しない。
【００８５】
表示ユニット４６は、ユーザが入力した情報やユーザに提供した情報を表示するために用いられる。表示ユニット４６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル４６１を含んでもよい。
【００８６】
ユーザ入力ユニット４７は、数字や文字情報の入力を受け付け、ユーザによる端末の設定や機能制御に関するキー信号の入力を行うことに用いられる。具体的に、ユーザ入力ユニット４７は、タッチパネル４７１と、その他の入力機器４７２とを含む。タッチパネル４７１は、タッチスクリーンとも呼ばれ、その上又は付近でのユーザのタッチ操作を取得可能である（例えばユーザが指やスタイラスなどの任意の適切な物体や付属部材を用いたタッチパネル４７１の上又はタッチパネル４７１の付近での操作）。タッチパネル４７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ４１０に送り、プロセッサ４１０からの命令を受信して実行する。なお、タッチパネル４７１は、抵抗膜式、静電容量式、赤外線、表面弾性波など、種々の方式を用いて実現することができる。ユーザ入力ユニット４７は、タッチパネル４７１の他に、他の入力機器４７２を含んでもよい。具体的に、他の入力機器４７２は、物理的なキーボード、機能キー（例えば、音量調節キー、スイッチキーなど）、トラックボール、マウス、レバーを含むが、ここでは枚挙しない。
【００８７】
更に、タッチパネル４７１は、表示パネル４６１に重ねられる。タッチパネル４７１は、その上又はその近くでタッチ操作を検出すると、プロセッサ４１０に送信して、タッチイベントのタイプを決定する。次いで、プロセッサ４１０は、タッチイベントのタイプに応じて、対応する視覚的出力を表示パネル４６１に提供する。図４では、タッチパネル４７１と表示パネル４６１は、独立した２つの部品として端末の入出力機能を実現するが、実施例によっては、タッチパネル４７１と表示パネル４６１を一体化して端末の入出力機能を実現することもでき、具体的にここでは限定しない。
【００８８】
インターフェースユニット４８は、外部装置と端末４０とを接続するためのインターフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェースユニット４８は、外部装置から入力（例えば、データ情報、電力など）を受信し、受信した入力を端末４０内の１つ以上の要素に伝送するために使用されてもよく、又は端末４０と外部装置との間でデータを伝送するために使用されてもよい。
【００８９】
メモリ４９は、ソフトウェアプログラム及び様々なデータを格納するために使用される。メモリ４９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ４９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【００９０】
プロセッサ４１０は、端末の制御センタであり、各種インターフェースや回線を用いて端末全体の各部を接続し、メモリ４９に格納されたソフトウェアプログラム及び／又はモジュールを実行、メモリ４９に格納されたデータを呼び出して端末の各種機能及び処理データを実行し、端末全体の監視を行う。プロセッサ４１０は、１つ以上の処理ユニットを含んでもよい。選択可能に、プロセッサ４１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ４１０に統合されなくてもよいことが理解される。
【００９１】
端末４０は、各構成要素に電力を供給するためのバッテリのような電源４１１を更に含んでもよい。選択可能に、電源４１１は、電源管理システムを介してプロセッサ４１０に論理的に接続されてもよく、電源管理システムを介して充電、放電、及び消費電力管理などを管理する機能を実現してもよい。
【００９２】
また、端末４０は、図示しない機能モジュールを更に含んでもよく、ここでの説明は省略する。
【００９３】
選択可能に、本開示の実施例は、プロセッサ４１０と、メモリ４９と、メモリ４９に格納されて前記プロセッサ４１０で動作可能なプログラムを含む端末を更に提供し、該プログラムがプロセッサ４１０によって実行されると、上記チャネル検出指示方法の実施例の各プロセスが実現され、且つ同じ技術効果を奏することもできるので、重複を避けるために、ここでは繰り返して記載しない。ここで、端末は、無線端末であってもよく有線端末であってもよい。無線端末とは、音声及び／又は他のサービスデータ接続性をユーザに提供する機器を指し、無線接続機能の携帯式機器、又は、無線モデムに接続される他の処理機器を有する。無線端末は、無線アクセスネットワーク（Ｒａｄｉｏ  Ａｃｃｅｓｓ  Ｎｅｔｗｏｒｋ、ＲＡＮと略称される）を介して１つ又は複数のコアネットワークと通信可能である。無線端末は、移動電話（又は「セルラー」電話と称される）などの移動端末、移動端末を有するコンピュータなどである。例えば、端末は、携帯式、ポータブル式、ハンドヘルド式、コンピュータ内蔵式又は車載の移動装置であり、無線アクセスネットワークとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、受信契約ユニット（Ｓｕｂｓｃｒｉｂｅｒ  Ｕｎｉｔ）、受信契約局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【００９４】
本開示の実施例は、プログラムが格納されているコンピュータ読み取り可能な記憶媒体を更に提供し、当該プログラムがプロセッサによって実行されると、上記チャネル検出指示方法の実施例の各プロセスが実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【００９５】
以上の実施例は、端末側から本発明のチャネル検出指示方法を紹介したが、以下、本実施例は、更に、ネットワーク機器側のチャネル検出指示方法について図面に基づいて紹介する。
【００９６】
図５に示すように、本開示の実施例に係るチャネル検出指示方法は、ネットワーク機器側に応用される方法であり、第２ＰＤＣＣＨを検出するか否かを端末に指示する非スケジューリング下り制御情報ＤＣＩが搬送される第１物理下り制御チャネルＰＤＣＣＨを送信するステップ５１を含む。
【００９７】
ここで、第１ＰＤＣＣＨの傍受パラメータは、ネットワーク機器により設定され、傍受パラメータは、傍受周期、傍受オフセット値、及び傍受継続時間のうちの少なくとも１つを含む。このように、非スケジューリングＤＣＩによって端末の検出挙動を動的に指示することで、端末が不要なＰＤＣＣＨ検出を行うことを回避し、端末の消費電力を節約することができる。ここで、本開示の実施例における第２ＰＤＣＣＨは、少なくとも１つのＤＣＩフォーマットに対応し、及び／又は、少なくとも１つの探索空間に対応する。例えば、第２ＰＤＣＣＨは、非スケジューリングＤＣＩフォーマットのうちの少なくとも１つに対応し、又は、非スケジューリングＤＣＩフォーマットのうちの少なくとも１つに対応し、又は、スケジューリングＤＣＩフォーマットと非スケジューリングＤＣＩフォーマットのうちの少なくとも１つに対応する。
【００９８】
ステップ５１の後に、第１ＰＤＣＣＨで前記非スケジューリングＤＣＩが受信されたことを端末に指示する応答ＡＣＫ情報を受信するステップ、又は、第１ＰＤＣＣＨで非スケジューリングＤＣＩが受信されていないことを端末に指示する非応答ＮＡＣＫ情報を受信するステップを更に含む。ここで、端末がＡＣＫ情報のみを送信すると定義すれば、端末は、第１ＰＤＣＣＨで非スケジューリングＤＣＩを受信すると、応答ＡＣＫ情報をフィードバックするが、第１ＰＤＣＣＨで非スケジューリングＤＣＩが受信されなければ、何らのフィードバック情報も送信しない。端末がＮＡＣＫ情報のみを送信すると定義すれば、端末は、第１ＰＤＣＣＨで非スケジューリングＤＣＩを受信すると、何らのフィードバック情報も送信しないが、第１ＰＤＣＣＨで非スケジューリングＤＣＩが受信されなければ、ＮＡＣＫ情報をフィードバックする。端末がＡＣＫ情報とＮＡＣＫ情報の両方を送信できると定義すれば、端末は、第１ＰＤＣＣＨで非スケジューリングＤＣＩを受信すると、応答ＡＣＫ情報をフィードバックするが、第１ＰＤＣＣＨで非スケジューリングＤＣＩが受信されなければ、ＮＡＣＫ情報をフィードバックする。
【００９９】
また、上記非スケジューリングＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる。
【０１００】
ここで、本開示の実施例において、非スケジューリングＤＣＩで第２ＰＤＣＣＨを検出するか否かを端末に指示する第１指示フィールドの発効時間は、以下のうちの１つである。
非スケジューリングＤＣＩがあるｓｌｏｔの次のｓｌｏｔ：端末が非スケジューリングＤＣＩを受信した後の次のｓｌｏｔである。
非スケジューリングＤＣＩがあるｓｌｏｔの後に時間間隔ｇａｐを空けたｓｌｏｔ：ここで、該ｇａｐは、予め定義されて又はネットワーク機器によって設定される。即ち、非スケジューリングＤＣＩの受信から指示フィールドが有効になるまで１つのｇａｐが存在する。該ｇａｐ内で、端末は、今までの傍受挙動規則に従ってＰＤＣＣＨの検出を行う。
非スケジューリングＤＣＩ情報に対応するＡＣＫ情報があるｓｌｏｔの後のＭ（Ｍは、正の整数）番目のｓｌｏｔ：ここで、Ｍの値は、予め定義されてもよく、ネットワーク機器によって設定されてもよい。
【０１０１】
非スケジューリングＤＣＩは、端末（例えば、第１ＰＤＣＣＨが端末専用ＰＤＣＣＨである）又は端末が属する端末グループ（例えば、第１ＰＤＣＣＨがグループ共通Ｇｒｏｕｐ−ｃｏｍｍｏｎ  ＰＤＣＣＨである）の以下の傍受挙動の少なくとも１つを指示する第１指示フィールドを含む。
第１伝送時間内に第２ＰＤＣＣＨを検出しない。ここで、第１伝送時間は、Ｎ（Ｎは、正の整数）個の時間領域伝送ユニット、Ｎ個の第２ＰＤＣＣＨ傍受（ｍｏｎｉｔｏｒｉｎｇ）周期又は第２ＰＤＣＣＨ傍受周期内のＮ個の傍受時間領域伝送ユニットであり、ここで、時間領域伝送ユニットは、スロットｓｌｏｔ、ミニスロットｍｉｎｉ−ｓｌｏｔ、ミリ秒、又は時間領域シンボルを含む。該シナリオは、上記傍受挙動１に対応するため、ここでは繰り返して述べない。
第２伝送時間内に第２ＰＤＣＣＨを検出するか否か。ここで、第２伝送時間は、Ｎ個の時間領域伝送ユニット、Ｎ個の第２ＰＤＣＣＨ傍受（ｍｏｎｉｔｏｒｉｎｇ）周期又は第２ＰＤＣＣＨ傍受周期内のＮ個の傍受時間領域伝送ユニットであり、ここで、時間領域伝送ユニットは、スロットｓｌｏｔ、ミニスロットｍｉｎｉ−ｓｌｏｔ、ミリ秒、又は時間領域シンボルを含む。該シナリオは、上記傍受挙動２に対応するため、ここでは繰り返して述べない。
第２ＰＤＣＣＨに関する検出パラメータ。検出パラメータは、検出周期、検出オフセット値、及び検出継続時間のうちの少なくとも１つを含む。例えば、指示フィールドは、２ｂｉｔを含み、００は、５ｓｌｏｔの検出周期、０１は、１０ｓｌｏｔの検出周期、１０は、２０ｓｌｏｔの検出周期、１１は、他の用途を示す。ここで、ネットワーク機器は、第２ＰＤＣＣＨに関する検出パラメータを少なくとも１つ含む検出パラメータ候補セットを、無線リソース制御ＲＲＣシグナリングによって指示し、第１指示フィールドは、検出パラメータ候補セットのうちの１つを指示する。該シナリオは、上記傍受挙動３に対応するため、ここでは繰り返して述べない。
接続状態非連続受信ＣＤＲＸパラメータ。ＣＤＲＸパラメータは、ＣＤＲＸの周期、ＣＤＲＸのオフセット値、及びＣＤＲＸのアクティブ期間のうちの少なくとも１つを含む。ネットワーク機器は、少なくとも１つのＣＤＲＸパラメータを含むＣＤＲＸパラメータ候補セットを、無線リソース制御ＲＲＣシグナリングによって指示し、第１指示フィールドは、ＣＤＲＸパラメータ候補セットのうちの１つを指示する。該シナリオは、上記傍受挙動４に対応するため、ここでは繰り返して述べない。
受信された目標シグナリングに基づいて前記第２ＰＤＣＣＨを検出する。ここで、目標シグナリングは、非スケジューリングＤＣＩとは異なり、第２ＰＤＣＣＨに関する検出パラメータを指示する。該シナリオは、上記傍受挙動５に対応するため、ここでは繰り返して述べない。
【０１０２】
ここで、上記非スケジューリングＤＣＩは、専用ＤＣＩフォーマットを採用することができ、即ち、端末又は端末グループの傍受挙動を指示するために専用の非スケジューリングＤＣＩフォーマットを追加する。ここで、専用ＤＣＩフォーマットのサイズ（Ｓｉｚｅ）は、従来技術における（上記表１のような）ＤＣＩフォーマットと一致してもよいし、一致しなくてもよい。又は、非スケジューリングＤＣＩは、所定のスケジューリングＤＣＩフォーマット又は所定の非スケジューリングＤＣＩフォーマットのうちの１つを採用することができる。ここで、ここでいう所定のスケジューリングＤＣＩフォーマットは、上記の表１に列挙されたＤＣＩ  ｆｏｒｍａｔ＿０、０＿１、１＿０、１＿１であってよく、所定の非スケジューリングＤＣＩフォーマットは、上記の表１における他のＤＣＩフォーマットであってもよい。非スケジューリングＤＣＩが所定のスケジューリングＤＣＩフォーマット又は所定の非スケジューリングＤＣＩフォーマットのうちの１つを採用する場合、非スケジューリングＤＣＩのサイズは、従来技術のＤＣＩフォーマットに一致し、端末によるブラインド検出の複雑性を低減することができる。
【０１０３】
非スケジューリングＤＣＩが所定のスケジューリングＤＣＩフォーマットのうちの１つを採用する場合、指示フィールドは、所定のスケジューリングＤＣＩフォーマットにおけるハイブリッド自動再送要求プロセス値フィールド、冗長バージョンフィールド、変調符号化スキームフィールド、及びリソースブロック割り当てフィールドのうちの少なくとも１つを含む。ここで、所定のスケジューリングＤＣＩフォーマットにおける一部のフィールドを書き換える実施例は、端末側の実施例を参照されたく、ここでは繰り返して述べない。
【０１０４】
更に、非スケジューリングＤＣＩの第１指示フィールドによって傍受挙動１及び／又は２を指示する場合、ステップ５１の前に、第１伝送時間内に第２ＰＤＣＣＨを検出しないこと、又は第２伝送時間内に第２ＰＤＣＣＨを検出するか否かを指示する報告情報を受信するステップを更に含む。即ち、端末は、自身のスケジューリングデマンドに応じてネットワーク機器に報告情報を送信し、スケジューリングデマンドがない場合には、第１伝送時間内に第２ＰＤＣＣＨを検出しないことを指示する報告情報を報告し、又は、トラフィックのスケジューリングデマンドに応じて、第２伝送時間内に第２ＰＤＣＣＨを検出するか否かを指示する報告情報を報告する。ネットワーク機器、端末の後続の傍受挙動を指示するために、該報告情報を参照して非スケジューリングＤＣＩを生成する。更に、報告情報によって指示される内容が一致した端末に対し、ネットワーク機器は、報告情報に基づいてグループ共通ＰＤＣＣＨを生成する。
【０１０５】
また、本開示の実施例における非スケジューリングＤＣＩは、上りハイブリッド自動再送要求ＨＡＲＱプロセスの新規データ指示ＮＤＩ（Ｎｅｗ  Ｄａｔａ  Ｉｎｄｉｃａｔｉｏｎ）を指示する第２指示フィールドを含んでもよい。該指示フィールドは、端末又は端末グループにソフトバッファ（ｓｏｆｔ  ｂｕｆｆｅｒ）の解放を指示する。具体的には、アップリンク伝送の場合、ＨＡＲＱプロセスごとに１つのＮＤＩが対応する。
【０１０６】
本開示の実施例に係るチャネル検出指示方法において、ネットワーク機器は、第２ＰＤＣＣＨを検出するか否かを端末に指示する非スケジューリングＤＣＩが搬送されたＰＤＣＣＨを端末に送信し、端末は、非スケジューリングＤＣＩによる動的な指示に応じてＰＤＣＣＨを検出するか否かを決定することで、端末がＰＤＣＣＨを検出することがより柔軟になり、不要なＰＤＣＣＨ検出を回避でき、端末の省電力化に有利である。
【０１０７】
以上の実施例は、異なるシナリオにおけるチャネル検出指示方法をそれぞれ詳細に紹介したが、以下、本実施例において、更に、それに対応するネットワーク機器について図面に基づいて紹介する。
【０１０８】
図６に示すように、本開示の実施例に係るネットワーク機器６００は、上記実施例における、第２ＰＤＣＣＨを検出するか否かを端末に指示する非スケジューリング下り制御情報ＤＣＩが搬送される第１物理下り制御チャネルＰＤＣＣＨを送信する方法のディテールを実現し、同じ効果を奏することもできる。
該ネットワーク機器６００は、具体的には、第２ＰＤＣＣＨを検出するか否かを端末に指示する非スケジューリング下り制御情報ＤＣＩが搬送される第１物理下り制御チャネルＰＤＣＣＨを送信する第１送信モジュール６１０を含む。
【０１０９】
ここで、非スケジューリングＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる。
【０１１０】
ここで、ネットワーク機器６００は、第１ＰＤＣＣＨで非スケジューリングＤＣＩが受信されたことを端末に指示する応答ＡＣＫ情報を受信する第１受信モジュール、又は、第１ＰＤＣＣＨで非スケジューリングＤＣＩが受信されていないことを端末に指示する非応答ＮＡＣＫ情報を受信する第２受信モジュールを更に含む。
【０１１１】
ここで、第２ＰＤＣＣＨを検出するか否かを非スケジューリングＤＣＩで端末に指示する有効開始時間は、
非スケジューリングＤＣＩがあるｓｌｏｔの次のｓｌｏｔ、
非スケジューリングＤＣＩがあるｓｌｏｔの後に、予め定義されて又はネットワーク機器によって設定される時間間隔ｇａｐを空けたｓｌｏｔ、
ＡＣＫ情報があるｓｌｏｔの後のＭ（Ｍは、正の整数）番目のｓｌｏｔのうちの１つである。
【０１１２】
ここで、非スケジューリングＤＣＩは、第１指示フィールドを含み、
第１指示フィールドは、端末又は端末が属する端末グループに対して、
第１伝送時間内に第２ＰＤＣＣＨを検出しないこと、
第２伝送時間内に第２ＰＤＣＣＨを検出するか否か、
第２ＰＤＣＣＨに関する検出パラメータ、
接続状態非連続受信ＣＤＲＸパラメータ、
非スケジューリングＤＣＩと異なる目標シグナリングであって、第２ＰＤＣＣＨに関する検出パラメータを指示するための、受信された目標シグナリングに基づいて、第２ＰＤＣＣＨを検出すること、のうちの少なくとも１つを指示する。
【０１１３】
ここで、非スケジューリングＤＣＩは、専用ＤＣＩフォーマットを採用し、又は、非スケジューリングＤＣＩは、所定のスケジューリングＤＣＩフォーマット又は所定の非スケジューリングＤＣＩフォーマットのうちの１つを採用する。
【０１１４】
ここで、非スケジューリングＤＣＩが所定のスケジューリングＤＣＩフォーマットのうちの１つを採用する場合、指示フィールドは、所定のスケジューリングＤＣＩフォーマットにおけるハイブリッド自動再送要求プロセス値フィールド、冗長バージョンフィールド、変調符号化スキームフィールド、及びリソースブロック割り当てフィールドのうちの少なくとも１つを含む。
【０１１５】
ここで、ＣＤＲＸパラメータは、ＣＤＲＸの周期、ＣＤＲＸのオフセット値、及びＣＤＲＸのアクティブ期間のうちの少なくとも１つを含む。
【０１１６】
ここで、ネットワーク機器は、第２ＰＤＣＣＨに関する検出パラメータを少なくとも１つ含む検出パラメータ候補セットを、無線リソース制御ＲＲＣシグナリングにより指示し、第１指示フィールドは、検出パラメータ候補セットのうちの１つを指示する。
【０１１７】
ここで、ネットワーク機器は、ＣＤＲＸパラメータを少なくとも１つ含むＣＤＲＸパラメータ候補セットを、無線リソース制御ＲＲＣシグナリングにより指示し、第１指示フィールドは、ＣＤＲＸパラメータ候補セットのうちの１つを指示する。
【０１１８】
ここで、第１伝送時間又は第２伝送時間は、Ｎ（Ｎは、正の整数）個の時間領域伝送ユニット、Ｎ個のＰＤＣＣＨ傍受周期、又はＰＤＣＣＨ傍受周期内のＮ個の傍受時間領域伝送ユニットであり、ここで、時間領域伝送ユニットは、スロットｓｌｏｔ、ミニスロットｍｉｎｉ−ｓｌｏｔ、ミリ秒、又は時間領域シンボルを含む。
【０１１９】
ここで、ネットワーク機器６００は、第１伝送時間内に第２ＰＤＣＣＨを検出しないことを指示し、又は、第２伝送時間内に第２ＰＤＣＣＨを検出するか否かを指示する報告情報を受信する第３受信モジュールを更に含む。
【０１２０】
ここで、第２ＰＤＣＣＨに関する検出パラメータは、検出周期、検出オフセット値、及び検出継続時間のうちの少なくとも１つを含む。
【０１２１】
ここで、第２ＰＤＣＣＨは、少なくとも１つのＤＣＩフォーマットに対応し、及び／又は、少なくとも１つの探索空間に対応する。
【０１２２】
ここで、ネットワーク機器６００は、前記第１ＰＤＣＣＨの傍受パラメータを設定する設定モジュールを更に含み、傍受パラメータは、傍受周期、オフセット値、及び継続時間のうちの少なくとも１つを含む。
【０１２３】
ここで、非スケジューリングＤＣＩは、上りハイブリッド自動再送要求ＨＡＲＱプロセスの新規データ指示ＮＤＩを指示する第２指示フィールドを更に含む。
【０１２４】
なお、以上のネットワーク機器及び端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアが処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【０１２５】
例えば、上記モジュールは、上記方法を実施するように設定された１つ又は複数の集積回路、例えば、１つ又は複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、１つ又は複数のマイクロプロセッサ（ｄｉｇｉｔａｌ  ｓｉｇｎａｌ  ｐｒｏｃｅｓｓｏｒ、ＤＳＰと略称される）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称される）などである。また、上記モジュールが、処理素子でプログラムコードを呼び出す形態で実現される場合、この処理素子は、中央処理装置（Ｃｅｎｔｒａｌ  Ｐｒｏｃｅｓｓｉｎｇ  Ｕｎｉｔ、ＣＰＵと略称される）などの汎用プロセッサ、又は、プログラムコードを呼び出すことができる他のプロセッサである。また、これらのモジュールは、一体化されてシステムオンチップ（ｓｙｓｔｅｍ−ｏｎ−ａ−ｃｈｉｐ、ＳＯＣと略称される）の形態で実現されてもよい。
【０１２６】
なお、本開示の実施例に係るネットワーク機器は、第２ＰＤＣＣＨを検出するか否かを端末に指示する非スケジューリングＤＣＩが搬送されたＰＤＣＣＨを端末に送信し、端末は、非スケジューリングＤＣＩによる動的な指示に応じてＰＤＣＣＨを検出するか否かを決定することで、端末がＰＤＣＣＨを検出することがより柔軟になり、不要なＰＤＣＣＨ検出を回避でき、端末の省電力化に有利である。
【０１２７】
上記目的をよりよく実現するために、本開示の実施例は、プロセッサと、メモリと、メモリに格納されてプロセッサで実行可能なコンピュータプログラムとを含むネットワーク機器を更に提供し、プロセッサがコンピュータプログラムを実行すると、上記のチャネル検出指示方法のステップが実現される。開示の実施例において、コンピュータプログラムが格納されているコンピュータ読み取り可能な記憶媒体を更に提供し、コンピュータプログラムがプロセッサによって実行されると、上記のチャネル検出指示方法のステップが実現される。
【０１２８】
具体的に、本開示の実施例は、ネットワーク機器を更に提供する。図７に示すように、該ネットワーク機器７００は、アンテナ７１と、ラジオ周波数装置７２と、ベースバンド装置７３を含む。アンテナ７１は、ラジオ周波数装置７２に接続される。上り方向では、ラジオ周波数装置７２は、アンテナ７１を介して情報を受信し、受信した情報をベースバンド装置７３に送信して処理する。下り方向では、ベースバンド装置７３は、送信すべき情報を処理してラジオ周波数装置７２に送信する。ラジオ周波数装置７２は、受信した情報を処理してアンテナ７１を介して送信する。
【０１２９】
上記周波数バンド処理装置は、ベースバンド装置７３に位置してもよく、上記実施例でネットワーク機器によって実行される方法は、ベースバンド装置７３で実現可能である。このベースバンド装置７３は、プロセッサ７４とメモリ７５を含む。
【０１３０】
ベースバンド装置７３は、例えば少なくとも１つのベースバンドボードを含む。このベースバンドボードには、複数のチップが設けられている。図７に示すように、そのうちの１つのチップは、例えばプロセッサ７４である。プロセッサ７４は、メモリ７５に接続され、メモリ７５の中のプログラムを呼び出すことによって、上記実施例に示されるネットワーク機器の動作を実行する。
【０１３１】
このベースバンド装置７３は、ラジオ周波数装置７２との情報のやり取りに用いられるネットワークインターフェース７６を更に含んでもよい。このインターフェースは、例えば汎用共通無線インターフェースＣＰＲＩ（ｃｏｍｍｏｎ  ｐｕｂｌｉｃ  ｒａｄｉｏ  ｉｎｔｅｒｆａｃｅ）である。
【０１３２】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば、１つ又は複数のマイクロプロセッサＤＳＰ、又は１つ又は複数のフィールドプログラマブルゲートアレイＦＰＧＡなどである。記憶素子は、１つのメモリであってもよく、複数の記憶素子の総称であってもよい。
【０１３３】
メモリ７５は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）（登録商標）が挙げられるが、それらに限られない。本願に記載のメモリ７５は、これらに限られず、これら及びこれら以外の任意の適合する種類のメモリを含むとする。
【０１３４】
具体的には、本開示の実施例に係るネットワーク機器は、メモリ７５に格納されてプロセッサ７４で動作可能なコンピュータプログラムを更に含む。プロセッサ７４は、メモリ７５の中のコンピュータプログラムを呼び出して、図６に示す各モジュールによって実行される方法を実行する。
【０１３５】
具体的には、コンピュータプログラムがプロセッサ７４によって呼び出されると、第２ＰＤＣＣＨを検出するか否かを端末に指示する非スケジューリング下り制御情報ＤＣＩが搬送される第１物理下り制御チャネルＰＤＣＣＨを送信することを実行する。
【０１３６】
本開示の実施例に係るネットワーク機器は、第二ＰＤＣＣＨを検出するか否かを端末に指示する非スケジューリングＤＣＩが搬送されたＰＤＣＣＨを端末に送信し、端末は、非スケジューリングＤＣＩによる動的な指示に応じてＰＤＣＣＨを検出するか否かを決定することで、端末がＰＤＣＣＨを検出することがより柔軟になり、不要なＰＤＣＣＨ検出を回避でき、端末の省電力化に有利である。
【０１３７】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１３８】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１３９】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インターフェース、装置又はユニットを介した間接結合や通信接続であってもよく、電気的、機械的、又は他の形式であってもよい。
【０１４０】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１４１】
また、本開示の各実施例における各機能的ユニットは、１つの処理ユニットに一体化されていてもよいし、物理的に別々に設けられていてもよいし、２つ以上が一体化されてもよい。
【０１４２】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１４３】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【０１４４】
従って、本開示の目的は、任意の計算装置で１つ又は一連のプログラムを実行することによっても実現される。前記計算装置は、周知されている汎用装置である。したがって、本開示の目的は、前記方法又は装置を実現するプログラムコードを含むプログラムプロダクトの提供のみでも実現される。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１４５】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【符号の説明】
【０１４６】
１１  端末
１２  ネットワーク機器
３００  端末
３１０  第１検出モジュール
３２０  第２検出モジュール
４０  端末
４１  ラジオ周波数ユニット
４１０  プロセッサ
４１１  電源
４２  ネットワークモジュール
４３  音声出力ユニット
４４  入力ユニット
４４１  グラフィックスプロセッサ
４４２  マイク
４５  センサ
４６  表示ユニット
４６１  表示パネル
４７  ユーザ入力ユニット
４７１  タッチパネル
４７２  入力機器
４８  インターフェースユニット
４９  メモリ
６００  ネットワーク機器
６１０  第１送信モジュール
７００  ネットワーク機器
７１  アンテナ
７２  ラジオ周波数装置
７３  ベースバンド装置
７４  プロセッサ
７５  メモリ
７６  ネットワークインターフェース
【図１】
2021523655.tif 000009
【図２】
2021523655.tif 000010
【図３】
2021523655.tif 000011
【図４】
2021523655.tif 000012
【図５】
2021523655.tif 000013
【図６】
2021523655.tif 000014
【図７】
2021523655.tif 000015
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
端末側に応用されるチャネル検出指示方法であって、
第１物理下り制御チャネルＰＤＣＣＨを検出することと、
第１ＰＤＣＣＨで非スケジューリング下り制御情報ＤＣＩが受信されると、第２ＰＤＣＣＨを検出するか否かを前記非スケジューリング下り制御情報ＤＣＩに基づいて決定することとを含む、チャネル検出指示方法。
【請求項２】
前記非スケジューリング下り制御情報ＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる、請求項１に記載のチャネル検出指示方法。
【請求項３】
第１物理下り制御チャネルＰＤＣＣＨを検出することの後には、
前記第１ＰＤＣＣＨで前記非スケジューリング下り制御情報ＤＣＩが受信された場合、応答ＡＣＫ情報をフィードバックすること、又は、前記第１ＰＤＣＣＨで前記非スケジューリング下り制御情報ＤＣＩが受信されていない場合、非応答ＮＡＣＫ情報をフィードバックすることを更に含む、請求項１に記載のチャネル検出指示方法。
【請求項４】
第２ＰＤＣＣＨを検出するか否かを前記非スケジューリング下り制御情報ＤＣＩに基づいて決定することの開始時間は、
前記非スケジューリング下り制御情報ＤＣＩがあるｓｌｏｔの次のｓｌｏｔ、
前記非スケジューリング下り制御情報ＤＣＩがあるｓｌｏｔの後に、予め定義されて又はネットワーク機器によって設定される時間間隔ｇａｐを空けたｓｌｏｔ、
ＡＣＫ情報があるｓｌｏｔの後のＭ（Ｍは、正の整数）番目のｓｌｏｔのうちの１つである、請求項３に記載のチャネル検出指示方法。
【請求項５】
前記非スケジューリング下り制御情報ＤＣＩは、第１指示フィールドを含み、
前記第１指示フィールドは、前記端末又は前記端末が属する端末グループに対して、
第１伝送時間内に前記第２ＰＤＣＣＨを検出しないこと、
第２伝送時間内に前記第２ＰＤＣＣＨを検出するか否か、
前記第２ＰＤＣＣＨに関する検出パラメータ、
接続状態非連続受信ＣＤＲＸパラメータ、
前記非スケジューリング下り制御情報ＤＣＩと異なる目標シグナリングであって、前記第２ＰＤＣＣＨに関する検出パラメータを指示するための、受信された目標シグナリングに基づいて、前記第２ＰＤＣＣＨを検出すること、のうちの少なくとも１つを指示する、請求項１〜４のいずれか１項に記載のチャネル検出指示方法。
【請求項６】
前記非スケジューリング下り制御情報ＤＣＩは、専用ＤＣＩフォーマットを採用し、
又は、前記非スケジューリング下り制御情報ＤＣＩは、所定のスケジューリングＤＣＩフォーマット又は所定の非スケジューリングＤＣＩフォーマットのうちの１つを採用し、
前記非スケジューリング下り制御情報ＤＣＩが所定のスケジューリングＤＣＩフォーマットのうちの１つを採用する場合、
前記第１指示フィールドは、
前記所定のスケジューリングＤＣＩフォーマットにおけるハイブリッド自動再送要求プロセス値フィールド、冗長バージョンフィールド、変調符号化スキームフィールド、及びリソースブロック割り当てフィールドのうちの少なくとも１つを含む、請求項５に記載のチャネル検出指示方法。
【請求項７】
前記第１指示フィールドは、前記第２ＰＤＣＣＨに関する検出パラメータが検出パラメータ候補セットのうちの１つであることを指示し、
前記検出パラメータ候補セットが無線リソース制御ＲＲＣシグナリングによりネットワーク機器から指示され、
前記第２ＰＤＣＣＨに関する検出パラメータは、検出周期、検出オフセット値、及び検出継続時間のうちの少なくとも１つを含む、請求項５に記載のチャネル検出指示方法。
【請求項８】
第１物理下り制御チャネルＰＤＣＣＨを検出する第１検出モジュールと、
第１ＰＤＣＣＨで非スケジューリング下り制御情報ＤＣＩが受信されると、第２ＰＤＣＣＨを検出するか否かを前記非スケジューリング下り制御情報ＤＣＩに基づいて決定する第２検出モジュールとを含む、端末。
【請求項９】
ネットワーク機器側に応用されるチャネル検出指示方法であって、
第２ＰＤＣＣＨを検出するか否かを端末に指示する非スケジューリング下り制御情報ＤＣＩが搬送される第１物理下り制御チャネルＰＤＣＣＨを送信することを含む、チャネル検出指示方法。
【請求項１０】
前記非スケジューリング下り制御情報ＤＣＩの巡回冗長検査ＣＲＣは、セル無線ネットワーク一時識別子Ｃ−ＲＮＴＩ又は専用ＲＮＴＩである目標無線ネットワーク一時識別子ＲＮＴＩによってスクランブルされる、請求項９に記載のチャネル検出指示方法。
【請求項１１】
第１物理下り制御チャネルＰＤＣＣＨを送信することの後には、
第１ＰＤＣＣＨで前記非スケジューリング下り制御情報ＤＣＩが受信されたことを前記端末に指示する応答ＡＣＫ情報を受信すること、又は、前記第１ＰＤＣＣＨで前記非スケジューリング下り制御情報ＤＣＩが受信されていないことを前記端末に指示する非応答ＮＡＣＫ情報を受信することを更に含む、請求項９に記載のチャネル検出指示方法。
【請求項１２】
第２ＰＤＣＣＨを検出するか否かを前記非スケジューリング下り制御情報ＤＣＩで端末に指示する有効開始時間は、
前記非スケジューリング下り制御情報ＤＣＩがあるｓｌｏｔの次のｓｌｏｔ、
前記非スケジューリング下り制御情報ＤＣＩがあるｓｌｏｔの後に、予め定義されて又はネットワーク機器によって設定される時間間隔ｇａｐを空けたｓｌｏｔ、
ＡＣＫ情報があるｓｌｏｔの後のＭ（Ｍは、正の整数）番目のｓｌｏｔのうちの１つである、請求項１１に記載のチャネル検出指示方法。
【請求項１３】
前記非スケジューリング下り制御情報ＤＣＩは、第１指示フィールドを含み、
前記第１指示フィールドは、前記端末又は前記端末が属する端末グループに対して、
第１伝送時間内に前記第２ＰＤＣＣＨを検出しないこと、
第２伝送時間内に前記第２ＰＤＣＣＨを検出するか否か、
前記第２ＰＤＣＣＨに関する検出パラメータ、
接続状態非連続受信ＣＤＲＸパラメータ、
前記非スケジューリング下り制御情報ＤＣＩと異なる目標シグナリングであって、前記第２ＰＤＣＣＨに関する検出パラメータを指示するための、受信された目標シグナリングに基づいて、前記第２ＰＤＣＣＨを検出すること、のうちの少なくとも１つを指示する、請求項９〜１２のいずれか１項に記載のチャネル検出指示方法。
【請求項１４】
前記非スケジューリング下り制御情報ＤＣＩは、専用ＤＣＩフォーマットを採用し、
又は、前記非スケジューリング下り制御情報ＤＣＩは、所定のスケジューリングＤＣＩフォーマット又は所定の非スケジューリングＤＣＩフォーマットのうちの１つを採用し、
前記非スケジューリング下り制御情報ＤＣＩが所定のスケジューリングＤＣＩフォーマットのうちの１つを採用する場合、
前記第１指示フィールドは、
前記所定のスケジューリングＤＣＩフォーマットにおけるハイブリッド自動再送要求プロセス値フィールド、冗長バージョンフィールド、変調符号化スキームフィールド、及びリソースブロック割り当てフィールドのうちの少なくとも１つを含む、請求項１３に記載のチャネル検出指示方法。
【請求項１５】
ネットワーク機器は、前記第２ＰＤＣＣＨに関する検出パラメータを少なくとも１つ含む検出パラメータ候補セットを、無線リソース制御ＲＲＣシグナリングにより指示し、
前記第１指示フィールドは、前記検出パラメータ候補セットのうちの１つを指示し、
前記第２ＰＤＣＣＨに関する検出パラメータは、検出周期、検出オフセット値、及び検出継続時間のうちの少なくとも１つを含む、請求項１３に記載のチャネル検出指示方法。
【請求項１６】
第２ＰＤＣＣＨを検出するか否かを端末に指示する非スケジューリング下り制御情報ＤＣＩが搬送される第１物理下り制御チャネルＰＤＣＣＨを送信する第１送信モジュールを含む、ネットワーク機器。
【国際調査報告】
2021523655.tif 000016
2021523655.tif 000017
2021523655.tif 000018
2021523655.tif 000019